(57)【特許請求の範囲】
【請求項１】
踏切遮断桿に沿って張られた吊下げロープを跨いで締め付けるロープ保持部と、このロープ保持部から連設された一対の挟持板部と、この挟持板部の対向面の開口部側に形成された、反射ベルトの吊下げ孔に挿通する吊下げ軸部とを有し、吊下げ軸部を互いに係脱自在のホックによって形成した踏切遮断桿の反射ベルト吊下げ具において、前記吊下げ軸部とロープ保持部との間に、一対の挟持板を結合する挟持用ホックを設けたことを特徴とする踏切遮断桿の反射ベルト吊下げ具。
【請求項２】
前記挟持用ホックを、挟持板の幅方向に延びる平板形状の雄ホックと、この雄ホックを受ける雌ホックとによって形成したことを特徴とする請求項１記載の踏切遮断桿の反射ベルト吊下げ具。
【請求項３】
前記ロープ保持部の内面に、爪部を設けたことを特徴とする請求項１または２記載の踏切遮断桿の反射ベルト吊下げ具。
【発明の詳細な説明】
【０００１】
【発明の属する技術分野】
この発明は、踏切遮断桿の反射ベルト吊下げ具に関する。
【０００２】
【従来の技術】
従来、踏切遮断桿４０には、夜間における視認性を上げるため、図４のように、反射ベルト４２が吊下げられている。
この反射ベルト４２は、図５に示すような反射ベルト吊下げ具５１を用いて、踏切遮断桿４０に沿って張り渡された吊下げロープ４１（以下、ロープ４１と呼ぶ）に取り付けられている。
【０００３】
この吊下げ具５１は、図５、図６に示すように、ロープ４１を跨いで締め付けるロープ保持部５２と、このロープ保持部５２から連設された一対の挟持板部５３、５４を有する。両挟持板の対向面の開口部側には、反射ベルト４２の吊下げ孔に挿通する吊下げ軸部５５を設けている。この吊下げ軸部５５は、互いに係脱自在に係合する雄ホック５５ａと雌ホック５５ｂによって構成されている。
この雄ホック５５ａと雌ホック５５ｂを結合することによって、一対の挟持板部５３、５４が互いに結合した状態になり、ロープ保持部５２によってロープ４１が締め付けられる。
【０００４】
このロープ保持部５２によるロープ４１の締め付け力は、雄ホック５５ａと雌ホック５５ｂを、両挟持板５３、５４の対向面の開口部側に設けているので、ロープ４１に対して、大きな締め付け力が得られず、踏切遮断桿４０を上げた場合に、ロープ保持部５２がずれ動くおそれがある。
このため、従来は、雄ホック５５ａと雌ホック５５ｂを結合して、反射ベルト４２を取り付けた後、両挟持板５３、５４の外周に、リング状の締付バンド５６を嵌め、ロープ保持部５２に大きな締め付け力が働くようにしている。
【０００５】
しかしながら、雄ホック５５ａと雌ホック５５ｂを結合して、反射ベルト４２を取り付けた後、いちいち締付バンド５６を嵌める作業は、面倒であり、多数本の反射ベルト４２の取付けには、長時間を要するという問題があった。
また、締付バンド５６を別途用意する必要があるため、コスト高になるという問題もあった。
【０００６】
【発明が解決しようとする課題】
そこで、この発明では、反射ベルトの吊下げ作業を簡単に行えるようにし、併せて、製造コストの低減を図ることを課題とする。
【０００７】
【課題を解決するための手段】
上記の課題を解決するため、この発明は、踏切遮断桿に沿って張られた吊下げロープを跨いで締め付けるロープ保持部と、このロープ保持部から連設された一対の挟持板部と、この挟持板部の対向面の開口部側に形成された、反射ベルトの吊下げ孔に挿通する吊下げ軸部とを有し、吊下げ軸部を互いに係脱自在のホックによって形成した踏切遮断桿の反射ベルト吊下げ具において、前記吊下げ軸部とロープ保持部との間に、一対の挟持板を結合する挟持用ホックを設けたことを特徴とする踏切遮断桿の反射ベルト吊下げ具としたのである。
【０００８】
このように、前記吊下げ軸部とロープ保持部との間に、一対の挟持板を結合する挟持用ホックを設けたので、吊下げ具のみで吊下げロープを十分に締め付けできるようなり、締付バンドが不要となる。このため、各ホックを係合させるだけで一対の挟持板を結合できるので、吊下げ作業が簡単に行え、かつ、製造コストを低減できるものである。
【発明の実施の形態】
【０００９】
図１は、この発明の一実施の形態である踏切遮断桿の反射ベルト吊下げ具の全体斜視図であり、図２は、図１の踏切遮断桿の反射ベルト吊下げ具の断面図である。図３は、図１の踏切遮断桿の反射ベルト吊下げ具を閉じた状態の断面図である。図１に示すように、この踏切遮断桿の反射ベルト吊下げ具（以下、吊下げ具１と呼ぶ）は、ロープ保持部２に、開口部が半円形の板状である一対の挟持板部３，４が連設されており、挟持板部３、４の対向面の開口部側に、反射ベルト４２の吊下げ孔に挿通する吊下げ軸部５と、前記吊下げ軸部とロープ保持部との間に、挟持用ホック６を設けている。
【００１０】
ロープ保持部２は、ロープ４１を跨ぐための隙間を有し、その断面形状はロープ４１と密接するようにロープ形状に適合させている。また、ロープ保持部２の内面に幅方向に一対の爪部７が形成されており、ロープ４１を締め付けた際に爪部が食い込むようにし、強固な締め付けができるようになっている。
【００１１】
図２、図３に示すように、吊下げ軸部５は、互いに係脱自在に係合する雄ホック５ａと雌ホック５ｂによって構成されている。雄ホック５ａは、隙間をあけて対称に配置された２本の柱の先端に、傾斜面をもつ頭部を形成したものである。雌ホック５ｂは、壁部に切欠きを有する中空円柱であり、この切欠きに雄ホック５ａの頭部が嵌まり込み、その首部で係合されるようになっている。雌ホック５ｂの外径は反射ベルト４２の吊下げ孔よりも小さく、反射ベルト４２の吊下げ孔に挿し入れて揺動自在に軸支するようになっている。このようにすると、遮断桿の位置に寄らず、反射ベルト４２が鉛直に垂れ下がり、踏切付近の視認性は良好なものとなる
【００１２】
挟持用ホック６は、互いに係合する挟持用雄ホック６ａと挟持用雌ホック６ｂによって構成されている。挟持用雄ホック６ａは挟持板の幅方向に延びる平板形状に設け、その先端に傾斜面をもつ頭部を形成している。挟持用雌ホック６ｂは、挟持用雄ホック６ａと係合するように、一対の対向平板部を設け、それぞれの先端の対向する側に頭部が形成され、雄ホック６ａの頭部を受けるようになっている。この挟持用ホック６を係合することで一対の挟持板が結合され、ロープ保持部２に跨ぎ入れられたロープ４１を締め付けるようになっている。
【００１３】
なお、各部の形状はこの実施の形態に限定されるものでなく、例えば、挟持用フック６の形状は、ロープの締付強度等を考慮して長さや設置位置を設定すればよい。また、各ホックに形成された傾斜面の角度は、両挟持板でなす角度と同じにすることが望ましい。
【００１４】
この吊下げ具１の製法は、全体がポリアミド系樹脂で構成され、金型による射出成形法により一体として製造される。無論これに限定されず、使用する材料は弾性を示すものであればよく、吊下げ具１の耐久性等を考慮して選択すればよい。
【００１５】
この吊下げ具１の使用方法は、まず、吊下げ位置を定めて、ロープ４１をロープ保持部２に跨ぎ入れ、次に、反射ベルト４２の吊下げ孔に雌ホック５ｂを挿通する。そして、吊下げ具１を握り、各ホックを係合させて一対の挟持板を結合し、吊下げ作業が完了する。
【００１６】
【発明の効果】
この発明によれば、前記吊下げ軸部とロープ保持部との間に、一対の挟持板を結合する挟持用ホックを設けたので、吊下げ具のみで吊下げロープを十分に締め付けでき、締付バンドが不要となる。このため、吊下げ具を握って各ホックを係合させるだけで挟持板を結合できので、吊下げ作業が簡単に行えると共に、製造コストを低減できるものである。
加えて、吊下げ部の内面に爪部を設け、吊下げ具を閉じた際に爪部が吊下げロープに喰い込むようにしたので、より強固な締め付けがえられる。
【図面の簡単な説明】
【図１】この発明の一実施の形態の踏切遮断桿の反射ベルト吊り下げ具の全体斜視図である。
【図２】図１の踏切遮断桿の反射ベルト吊り下げ具の断面図である。
【図３】図１の踏切遮断桿の反射ベルト吊り下げ具を閉じた状態の断面図である。
【図４】踏切遮断桿に反射ベルトが吊下げられた状態を示す概略図である。
【図５】従来の踏切遮断桿の反射ベルト吊り下げ具の固定状態を示す平面図である。
【図６】図５に示す従来の踏切遮断桿の反射ベルト吊り下げ具の断面図である。
【符号の説明】
１  踏切遮断桿の反射ベルト吊下げ具
２、５２  ロープ保持部
３、４  挟持板部
５、５５  吊下げ軸部
５ａ、５５ａ  雄ホック
５ｂ、５５ｂ  雌ホック
６  挟持用ホック
６ａ  挟持用雄ホック
６ｂ  挟持用雌ホック
７、５８  爪部
４０  踏切遮断桿
４１  ロープ
４２  反射ベルト
５１  従来の踏切遮断桿の反射ベルト吊下げ具
５３，５４  従来の挟持板
５６  締付バンド
５７  ストッパ
【図１】
0003721367.tif 000002
【図２】
0003721367.tif 000003
【図３】
0003721367.tif 000004
【図４】
0003721367.tif 000005
【図５】
0003721367.tif 000006
【図６】
0003721367.tif 000007